(57)【要約】【課題】ゲーム機，コイン貸し機いずれの場合でも予め定められた一定枚数のコイン補給を行うことで、補給回数を減らして無駄なコイン補給を少なくし、機器の長寿命化及びオーバーフローその他トラブルを防止する遊技設備のコイン自動補給装置を提供する。【解決手段】コインＣを投入してゲームを行いゲーム状態に応じた枚数のコインＣを払い出すゲーム機内に投入されたコインＣを払い出し時まで一時的に収容するコインホッパーを設け、同コインホッパーにコインＣを補給するコイン補給ライン３ａを設け、ゲーム機のコインホッパー内のコインＣが所定レベルより少なくなるとコインＣをコイン補給ライン３ａから自動的に補給するようにした遊技設備において、前記コイン補給ライン３ａの途中にコインＣの通過を検知するコインセンサー４ｈを設け、同コインセンサー４ｈのコインＣ検知枚数が予め定められた設定枚数だけ正確に補給する。【選択図】          図４
2004236783.tif 000002
【特許請求の範囲】
【請求項１】
コインを投入してゲームを行いゲーム状態に応じた枚数のコインを払い出すゲーム機内にコインを払い出し時まで一時的に収容するコインホッパーを設け、同コインホッパーにコインを補給するコイン補給ラインを設け、コインホッパーにコインが所定レベルに収容されているか否かを検知するコイン量センサーを設け、同コイン量センサーがコインの所定レベル以下を検知すると同所定レベルを超えるように予め定めた設定枚数のコインをコイン補給ラインから補給させるコイン補給制御手段を設けた遊技設備のコイン自動補給装置。
【請求項２】
貨幣を投入するとゲームに使用するコインを払い出すコイン貸し機内にコインを払い出し時まで一時的に収容するコインホッパーを設け、同コインホッパーにコインを補給するコイン補給ラインを設け、コインホッパーにコインが所定レベルに収容されているか否かを検知するコイン量センサーを設け、同コイン量センサーがコインの所定レベル以下を検知すると同所定レベルを超えるように予め定めた設定枚数のコインをコイン補給ラインから補給させるコイン補給制御手段を設けた遊技設備のコイン自動補給装置。
【請求項３】
貨幣を投入するとゲームに使用するコインを払い出すコイン貸し機内にコインを払い出し時まで一時的に収容するコインホッパーを設け、同コインホッパーにコインを補給するコイン補給ラインを設け、コインホッパーにコインが所定レベルに収容されているか否かを検知するコイン量センサーを設け、同コイン量センサーがコインの所定レベル以下を検知後貨幣の投入が所定回数発生するとコインホッパーの所定レベルを超えるように予め定めた設定枚数のコインをコイン補給ラインから補給させるコイン補給制御手段を設けた遊技設備のコイン自動補給装置。
【請求項４】
貨幣を投入するとゲームに使用するコインを払い出すコイン貸し機内にコインを払い出し時まで一時的に収容するコインホッパーを設け、同コインホッパーにコインを補給するコイン補給ラインを設け、コインホッパーに初期枚数を収容後貨幣の投入が発生する都度投入金額に応じた枚数のコインを補給させるコイン補給制御手段を設けた遊技設備のコイン自動補給装置。
【請求項５】
貨幣を投入するとゲームに使用するコインを払い出すコイン貸し機内にコインを払い出し時まで一時的に収容するコインホッパーを設け、同コインホッパーにコインを補給するコイン補給ラインを設け、コインホッパーに初期枚数を収容後貨幣の投入が所定回数発生すると同所定回数分の総投入金額に応じた枚数のコインを補給させるコイン補給制御手段を設けた遊技設備のコイン自動補給装置。
【請求項６】
コイン補給制御手段が、コイン補給ラインの途中にコインの流れを遮蔽する開閉自在なゲートを設け、コイン補給ラインの側面に前記ゲートで遮蔽されたコインを排出する切欠きを設け、同切欠きに排出されたコインを取り入れる樋を設け、同樋に取り入れたコインを複数の仕切板によって整列させる複数のコイン通路を形成し、同各コイン通路に通過するコインを検知するコインセンサーをそれぞれ設け、ゲートでコインの流れを遮蔽後コインを樋に取り入れて補給しながらコインセンサーで通過枚数を検知し、同検知した通過枚数が補給すべき設定枚数に達するとゲートを開放させて補給を停止できるようにしたものである請求項１〜５いずれか記載の遊技設備のコイン自動補給装置。
【請求項７】
コイン補給ラインの切欠きの幅をコイン補給ラインの搬送面の幅より拡幅に形成し、コインを円滑に取り入れできるようにした請求項６記載の遊技設備のコイン自動補給装置。
【請求項８】
ゲートをコインが切欠きに案内されるように斜めに形成し、各仕切板を前記ゲートの角度と略同じ角度の向きになるように設け、コインをより円滑に取り入れできるようにした請求項６又は７記載の遊技設備のコイン自動補給装置。
【請求項９】
コイン補給ラインに補給するコインを重ならないようにして１枚ずつ並べるコイン重なり防止手段を設け、コイン通路のコインが１列に送られるようにしてコインセンサーが正確な枚数を検知できるようにした請求項１〜８いずれか記載の遊技設備のコイン自動補給装置。
【請求項１０】
コイン重なり防止手段が、コイン補給ラインの搬送面上にゲートをその下端が搬送面からコインの厚さと略同じ高さとなるように設け、コイン補給ライン上で重なった上側のコインを前記ゲートで遮蔽して１枚ずつ並べた状態でコインがコインセンサーを通過するようにしたものである請求項９記載の遊技設備のコイン自動補給装置。
【請求項１１】
コイン重なり防止手段が、コイン補給ラインの搬送面上にコインを搬送方向と逆方向に送るように回転するロールをそのロール面が搬送面からコインの厚さと略同じ高さとなるように設け、コイン補給ライン上で重なった上側のコインを前記ロールでコインの搬送方向と逆方向へ払去して１枚ずつ並べた状態でコインがコインセンサーを通過するようにしたものである請求項９記載の遊技設備のコイン自動補給装置。
【発明の詳細な説明】
【０００１】
【発明の属する技術分野】
本発明は、コイン・硬貨・メダル類（以下コインという）を使用してゲームを行うスロットマシン等のゲーム機又はそのゲーム機用のコインを遊技者に貸し出すコイン貸し機へコインを自動的に補給する遊技設備のコイン自動補給装置に関する。
【０００２】
【従来の技術】
コインを使用してゲームを行うゲーム機やコイン貸し機内には払い出すコインを一時的に所要量収容しておくコインホッパーが設けられている。このコインホッパーにはタッチ式のコイン量センサーを取り付けておき、外部からコインホッパー内に補給されたコインがコイン量センサーにタッチした時点で補給を停止するように制御し、常時一定量のコインを保持するようにしている。
【０００３】
ところで、コイン量センサーにタッチした時点で補給を停止するとコイン量センサーからコインが少しでも離れる度に補給作動が頻繁に発生して機器の寿命低下等の問題が生じるから、コイン量センサーにタッチした時点からタイムラグを設けて一定時間補給を継続することで余分にコインを補給する方法が提案された。しかし、同じタイムラグでもコイン補給ライン上のコインは規則正しく並んでいないから補給量がゲーム機毎やコイン貸し機毎に異なり、少なく補給されたゲーム機やコイン貸し機は補給が直ぐに発生してしまっていた。
【０００４】
その対策として、タイムラグを長くすることが検討されたが、他のゲーム機やコイン貸し機への補給が遅れることになり、逆にコイン量が多すぎると結局はゲーム機からオーバーフローして無駄な補給となり、またコイン貸し機はオーバーフローの経路が無いのでコイン補給路やゲート部にコインが詰まってトラブルとなっていた。
【０００５】
【発明が解決しようとする課題】
本発明が解決しようとする課題は、従来のこれらの問題点を解消し、ゲーム機，コイン貸し機いずれの場合でも予め定められた一定枚数の補給を行うことで、補給回数を確実に減らして無駄な補給を少なくし、機器の長寿命化及びオーバーフローその他トラブルを防止する遊技設備のコイン自動補給装置を提供することにある。
【０００６】
【課題を解決するための手段】
かかる課題を解決した本発明の構成は、
１）  コインを投入してゲームを行いゲーム状態に応じた枚数のコインを払い出すゲーム機内にコインを払い出し時まで一時的に収容するコインホッパーを設け、同コインホッパーにコインを補給するコイン補給ラインを設け、コインホッパーにコインが所定レベルに収容されているか否かを検知するコイン量センサーを設け、同コイン量センサーがコインの所定レベル以下を検知すると同所定レベルを超えるように予め定めた設定枚数のコインをコイン補給ラインから補給させるコイン補給制御手段を設けた遊技設備のコイン自動補給装置
２）  貨幣を投入するとゲームに使用するコインを払い出すコイン貸し機内にコインを払い出し時まで一時的に収容するコインホッパーを設け、同コインホッパーにコインを補給するコイン補給ラインを設け、コインホッパーにコインが所定レベルに収容されているか否かを検知するコイン量センサーを設け、同コイン量センサーがコインの所定レベル以下を検知すると同所定レベルを超えるように予め定めた設定枚数のコインをコイン補給ラインから補給させるコイン補給制御手段を設けた遊技設備のコイン自動補給装置
３）  貨幣を投入するとゲームに使用するコインを払い出すコイン貸し機内にコインを払い出し時まで一時的に収容するコインホッパーを設け、同コインホッパーにコインを補給するコイン補給ラインを設け、コインホッパーにコインが所定レベルに収容されているか否かを検知するコイン量センサーを設け、同コイン量センサーがコインの所定レベル以下を検知後貨幣の投入が所定回数発生するとコインホッパーの所定レベルを超えるように予め定めた設定枚数のコインをコイン補給ラインから補給させるコイン補給制御手段を設けた遊技設備のコイン自動補給装置
４）  貨幣を投入するとゲームに使用するコインを払い出すコイン貸し機内にコインを払い出し時まで一時的に収容するコインホッパーを設け、同コインホッパーにコインを補給するコイン補給ラインを設け、コインホッパーに初期枚数を収容後貨幣の投入が発生する都度投入金額に応じた枚数のコインを補給させるコイン補給制御手段を設けた遊技設備のコイン自動補給装置
５）  貨幣を投入するとゲームに使用するコインを払い出すコイン貸し機内にコインを払い出し時まで一時的に収容するコインホッパーを設け、同コインホッパーにコインを補給するコイン補給ラインを設け、コインホッパーに初期枚数を収容後貨幣の投入が所定回数発生すると同所定回数分の総投入金額に応じた枚数のコインを補給させるコイン補給制御手段を設けた遊技設備のコイン自動補給装置６）  コイン補給制御手段が、コイン補給ラインの途中にコインの流れを遮蔽する開閉自在なゲートを設け、コイン補給ラインの側面に前記ゲートで遮蔽されたコインを排出する切欠きを設け、同切欠きに排出されたコインを取り入れる樋を設け、同樋に取り入れたコインを複数の仕切板によって整列させる複数のコイン通路を形成し、同各コイン通路に通過するコインを検知するコインセンサーをそれぞれ設け、ゲートでコインの流れを遮蔽後コインを樋に取り入れて補給しながらコインセンサーで通過枚数を検知し、同検知した通過枚数が補給すべき設定枚数に達するとゲートを開放させて補給を停止できるようにしたものである前記１）〜５）いずれか記載の遊技設備のコイン自動補給装置
７）  コイン補給ラインの切欠きの幅をコイン補給ラインの搬送面の幅より拡幅に形成し、コインを円滑に取り入れできるようにした前記６）記載の遊技設備のコイン自動補給装置
８）  ゲートをコインが切欠きに案内されるように斜めに形成し、各仕切板を前記ゲートの角度と略同じ角度の向きになるように設け、コインをより円滑に取り入れできるようにした前記６）又は７）記載の遊技設備のコイン自動補給装置
９）  コイン補給ラインに補給するコインを重ならないようにして１枚ずつ並べるコイン重なり防止手段を設け、コイン通路のコインが１列に送られるようにしてコインセンサーが正確な枚数を検知できるようにした前記１）〜８）いずれか記載の遊技設備のコイン自動補給装置
１０）  コイン重なり防止手段が、コイン補給ラインの搬送面上にゲートをその下端が搬送面からコインの厚さと略同じ高さとなるように設け、コイン補給ライン上で重なった上側のコインを前記ゲートで遮蔽して１枚ずつ並べた状態でコインがコインセンサーを通過するようにしたものである前記９）記載の遊技設備のコイン自動補給装置
１１）  コイン重なり防止手段が、コイン補給ラインの搬送面上にコインを搬送方向と逆方向に送るように回転するロールをそのロール面が搬送面からコインの厚さと略同じ高さとなるように設け、コイン補給ライン上で重なった上側のコインを前記ロールでコインの搬送方向と逆方向へ払去して１枚ずつ並べた状態でコインがコインセンサーを通過するようにしたものである前記９）記載の遊技設備のコイン自動補給装置
にある。
【０００７】
【作用】
本発明によれば、どのゲーム機及びコイン貸し機でも必ず一定枚数コインを補給することになり、必要量のコイン量の余裕があるので確実に補給回数を減らすことができ、結果補給作動が少なくなって機器が長持ちし、コイン詰まり等のトラブルも発生しない。
【０００８】
【発明の実施の形態】
本発明のコイン補給制御手段としては、コイン補給ラインの途中にコインの流れを遮蔽する開閉自在なゲートを設け、コイン補給ラインの側面に前記ゲートで遮蔽されたコインを排出する切欠きを設け、同切欠きに排出されたコインを取り入れる樋を設け、同樋に取り入れたコインを仕切板によって複列にする複数のコイン通路を形成し、同各コイン通路にコインセンサーをそれぞれ設けたものが、多数枚のコインを同時に検知できて効率が向上する。また、コイン補給ラインの切欠きの幅をコイン補給ラインの搬送面の幅より拡幅に形成すると、コインが行き詰まることなく円滑に取り入れできて好ましい。さらに、ゲートの先端を切欠き側が鈍角となるように斜めに形成し、各仕切板を前記ゲート先端の角度と略同じ角度の向きになるように設けると、コインの流れがより円滑になって好ましい。
【０００９】
コイン補給ラインの途中には、補給するコインが上下に重ならないように１枚ずつ並べるコイン重なり防止手段を設けると、コインセンサーが正確な枚数を検知できる。コイン重なり防止手段としては、例えばコイン補給ラインの搬送面上にゲートをその下端が搬送面からコインの厚さと略同じ（好ましくはやや高い）高さとなるように設け、コイン補給ライン上で重なった上側のコインを前記ゲートで遮蔽して１枚ずつ並べた状態でコインセンサーを通過させるようにしたものや、コイン補給ラインの搬送面上にコインを搬送方向と逆方向に送るように回転するブラシ等のロールをそのロール面が搬送面からコインの厚さと略同じ（好ましくはやや高い）高さとなるように設け、コイン補給ライン上で重なった上側のコインを前記ロールで後方へ払去して１枚ずつ並べた状態でコインセンサーを通過させるようにしたものがあり、使用するコインの種類や耐久性、コストを考慮して任意に選ばれる。
【００１０】
コイン補給制御手段は論理回路やプログラムで構成され、不正を行う者が接触できない位置に設置するのが望ましい。以下、本発明の実施例を図面に基づいて具体的に説明する。
【００１１】
【実施例】
図１〜９に示す実施例は、スロットマシンと隣接位置に並設されるコイン貸し機それぞれにコインを自動的に補給するコイン自動補給装置に本発明を適用した例である。図１は実施例の遊技設備の説明図、図２は実施例のゲーム機の一部切欠斜視図、図３は実施例のコイン貸し機の一部切欠斜視図、図４は実施例のコイン補給装置の斜視図、図５は実施例のコイン重なり防止部の説明図、図６は実施例のコイン補給制御部の回路の説明図、図７は実施例のコインの検知を示す説明図、図８は実施例のコイン貸し機のコイン補給を示す情報処理フローチャート、図９は実施例のゲーム機のコイン補給を示す情報処理フローチャートである。
【００１２】
図中、１はスロットマシンであるゲーム機であって、図２に示すように前面にコイン投入口１ａを設け、同コイン投入口１ａから投入されたコインによるゲームの進行及びゲーム結果に応じた所定枚数のコインの払い出し制御を行うコントロール装置１ｂを設け、内部に多数枚のコインを一時的に収容してゲーム結果に応じた枚数のコインを払い出すコインホッパー１ｃを設け、同コインホッパー１ｃの上方にホッパー内のコインの収容量を検出するコイン量センサー１ｄを設け、コインホッパー１ｃの下方に払い出されたコインを排出するシュート１ｅを設け、同シュート１ｅの下方に排出されたコインを収容するコイン受皿１ｆを設け、コインホッパー１ｃの右側下方に余剰コインを排出するコイン排送路１ｇを設けている。
【００１３】
２はコイン貸し機であって、図３に示すように前面に貨幣を投入する貨幣投入口２ａを設け、同貨幣投入口２ａから投入された金額に応じて所定枚数のコインの払い出し制御を行うコントロール装置２ｂを設け、内部に多数枚のコインを一時的に収容して投入金額に応じた枚数のコインを払い出すコインホッパー２ｃを設け、同コインホッパー２ｃの上方にホッパー内のコインの収容量を検出するコイン量センサー２ｄを設け、コインホッパー２ｃの下方に払い出されたコインを排出するシュート２ｅを設け、同シュート２ｅの下方に排出されたコインを収容するコイン払出口２ｆを設けている。
【００１４】
３はコイン自動補給装置であって、図１に示すように並設された複数のゲーム機１及びコイン貸し機２にコインを補給するベルトコンベヤからなるコイン補給ライン３ａを設け、各ゲーム機１から排出された余剰コインを回収するベルトコンベヤからなるコイン回収ライン３ｂを設け、回収されたコインを洗浄研磨するコイン洗浄研磨部３ｃを設け、補給するコインの上下の重なりを防止するコイン重なり防止部３ｄを設け、各コントロール装置１ｂ，２ｂ及び各コイン量センサー１ｄ，２ｄの信号を受けて所定枚数のコインの補給制御を行うコイン補給制御部３ｆを設けている。
【００１５】
コイン重なり防止部３ｄは、図５に示すようにコイン補給ライン３ａの搬送開始位置にゲート３ｅをその下端が搬送面からコインの厚さと略同じ高さとなるように立設している。コイン補給制御部３ｆの回路は、図６に示すようにＣＰＵ３ｇ，ＲＡＭ３ｈ，ＲＯＭ３ｉ及びインターフェイス３ｊから構成され、各コントロール装置１ｂ，２ｂと各コイン量センサー１ｄ，２ｄをインターフェイス３ｊを介して信号線３ｋで接続している。なお、コイン補給制御部３ｆの回路及びプログラムは一つに集約して制御することも可能である。
【００１６】
４はコイン補給装置であって、図４に示すようにコイン補給ライン３ａに先端が斜めに形成されたゲート４ａを上下動可能に軸支し、同ゲート４ａの側部に支持棒４ｂを突設し、同支持棒４ｂと当接して上下動することでゲート４ａの高さを調整するゲート開閉機構４ｃをコイン補給ライン３ａの側面に設け、同コイン補給ライン３ａのゲート４ａ前方側面に切欠き４ｄを形成し、同切欠き４ｄにコインを取り入れる樋４ｅを設け、同樋４ｅ内に仕切板４ｆを２枚等間隔に立設してコインを３列に分けて同時に取り入れさせるコイン通路４ｇを形成し、同各コイン通路４ｇの直下側面にコインの通過を検知する磁気式のコインセンサー４ｈをそれぞれ設け、同各コインセンサー４ｈの信号をコイン補給制御部３ｆへ信号線３ｋで送信する送信器４ｉを設け、樋４ｅの下端に取り入れたコインをゲーム機１又はコイン貸し機２へ供給するコイン供給路４ｊを配管している。５はホールコンピュータ、５ａは接続部、５ｂは信号線、Ｃはコインである。
【００１７】
本実施例では、コイン自動補給装置３を作動させると、各ゲーム機１及びコイン貸し機２内の各コインホッパー１ｃ，２ｃ内のコインＣ収容量を各コイン量センサー１ｄ，２ｄで検知し、コインＣがコイン量センサー１ｄ，２ｄから離れているとコイン補給装置４が図７に示すようにゲート４ａでコイン補給ライン３ａを遮蔽してコインＣをコイン通路４ｇへ案内し、各コインセンサー４ｈで１枚ずつ検知してカウントしながら所要枚数補給する。ゲーム機１のコインホッパー１ｃ内は飽和すると余剰コインＣがコイン排送路１ｇでコイン回収ライン３ｂに排出され、同コイン回収ライン３ｂで回収してコイン洗浄研磨部３ｃで洗浄研磨され、コイン重なり防止部３ｄで１枚ずつ並べられて再び供給することで各コインホッパー１ｃ，２ｃ内のコインＣが必要量保持される。
【００１８】
ここで、コイン貸し機２では図８に示すようにコイン補給制御部３ｆのプログラムはコイン量センサー２ｄの信号を入力し、コイン量センサー２ｄからコインホッパー２ｃ内のコインＣが離れるとコイン不足と判断する。その後、コントロール装置２ｂの信号を入力して売上げが発生したか否かを検知し、売上げが発生するとその回数をカウントする。売上回数が所定回数（本実施例では３回）に達するとコインＣの補給を開始し、コインセンサー４ｈで補給枚数をカウントする。補給中にコインＣがコイン量センサー２ｄにタッチしても補給を継続し、補給枚数が予め定めた設定枚数（本実施例では１５０枚）に達した時点で補給を停止する。
【００１９】
ゲーム機１では、遊技者がコイン貸し機２で得たコインＣをコイン投入口１ａに投入してゲームを開始する。コイン補給制御部３ｆのプログラムは図９に示すようにコイン量センサー１ｄの信号を入力し、コイン量センサー１ｄからコインホッパー１ｃ内のコインＣが離れるとコイン不足と判断して補給を開始する。補給中は前記と同様にコインセンサー４ｈで補給枚数をカウントしながらコイン量センサー１ｄにコインＣがタッチしても補給を継続し、補給枚数が予め定めた設定枚数（本実施例では２００枚）に達した時点で補給を停止する。
【００２０】
本実施例はこのように構成したから、補給開始後はコイン量センサー１ｄ，２ｄの検知信号より設定枚数の補給を優先処理することで、どのゲーム機１及びコイン貸し機２でも必ず一定枚数補給することになり、必要量のコインＣ量の余裕があるので確実に補給回数を減らすことができ、結果補給作動が少なくなって機器が長持ちし、コインＣ詰まり等のトラブルも発生しない。また、実際の補給枚数がわかるのでコインアウト枚数と対応して照合ができ、そのゲーム機１のゲーム設定の参考資料となる。さらに、ゲーム機１のコインイン枚数・コインアウト枚数の情報と実際補給枚数とを照合すれば、不正操作によるコインＣの抜き取りも発見でき、コイン貸し機２の場合にも売上金額と実際補給枚数とが対応し、不正操作によるコインＣの抜き取りも発見できる。
【００２１】
図１０，１１に示すのは、実施例のコイン量センサーを省略したコイン貸し機の他の例である。図１０は実施例の他の例のコイン貸し機の一部切欠斜視図、図１１は実施例の他の例のコイン貸し機のコイン補給を示す情報処理フローチャートである。実施例の他の例は、図１０に示すようにコインホッパー２ｃにはコイン量センサーを設けていない。
【００２２】
実施例の他の例では、遊技設備の稼動開始時に予め所定枚数のコインＣをコインホッパー２ｃ内に収容しておく。プログラムは図１１に示すようにコントロール装置２ｂの信号を入力して売上げが発生したか否かを検知し、売上げが発生するとその回数と売上金額をカウントする。売上回数が所定回数（実施例の他の例では３回）に達すると、コインＣの補給を開始してコインセンサー４ｈで補給枚数をカウントし、補給枚数が総売上金額に応じた枚数（実施例の他の例では１５０枚／千円）に達した時点で補給を停止する。その他、符号、構成は実施例と同じである。
【００２３】
図１２に示すのはコイン補給装置の他の例である。図１２は実施例の他の例のコイン補給装置の一部切欠斜視図である。図中、４ｋはゲートである。実施例の他の例では、図１２に示すようにコイン補給ライン３ａの切欠き４ｄにゲート４ｋをその下端がコインＣの厚さよりやや高くなるように立設し、搬送されたコインＣが上下に重なっていてもコイン通路４ｇ直前で重なった上側のコインＣを前記ゲート４ｋで遮蔽して１枚ずつコインセンサー４ｈで正確に検知できるようにしている。その他、符号、構成は実施例と同じである。
【００２４】
図１３に示すのはコイン補給装置の他の例である。図１３は実施例の他の例のコイン補給装置の平面図である。実施例の他の例では、図１３に示すように各仕切板４ｆをコインＣの搬送方向から鈍角に傾斜して立設し、コインＣが搬送速度を減速させることなく各コイン通路４ｇを円滑に通過させて短時間に補給できるようにしている。その他、符号、構成は実施例と同じである。
【００２５】
図１４に示すのは、コイン重なり防止部の他の例である。図１４は実施例の他の例のコイン重なり防止部の説明図である。３ｍはブラシロールである。実施例の他の例では、図１４に示すようにブラシロール３ｍをそのブラシ毛端がコインＣの厚さと略同じ高さとなるように軸支してコインＣを搬送方向と逆方向に送るように回転させることで、上下に重なった上側のコインＣがブラシロール３ｍで後方に払去されて１枚ずつ並べた状態で供給される。その他、符号、構成は実施例と同じである。
【００２６】
【発明の効果】
以上説明したように、本発明によればゲーム機，コイン貸し機いずれの場合でも定められた一定枚数の補給を行うことで、補給回数を確実に減らして無駄な補給を少なくし、機器の長寿命化及びオーバーフローその他トラブルを防止し得る遊技設備のコイン自動補給装置を提供できる。
【図面の簡単な説明】
【図１】実施例の遊技設備の説明図である。
【図２】実施例のゲーム機の一部切欠斜視図である。
【図３】実施例のコイン貸し機の一部切欠斜視図である。
【図４】実施例のコイン補給装置の斜視図である。
【図５】実施例のコイン重なり防止部の説明図である。
【図６】実施例のコイン補給制御部の回路の説明図である。
【図７】実施例のコインの検知を示す説明図である。
【図８】実施例のコイン貸し機のコイン補給を示す情報処理フローチャートである。
【図９】実施例のゲーム機のコイン補給を示す情報処理フローチャートである。
【図１０】実施例の他の例のコイン貸し機の一部切欠斜視図である。
【図１１】実施例の他の例のコイン貸し機のコイン補給を示す情報処理フローチャートである。
【図１２】実施例の他の例のコイン補給装置の一部切欠斜視図である。
【図１３】実施例の他の例のコイン補給装置の平面図である。
【図１４】実施例の他の例のコイン重なり防止部の説明図である。
【符号の説明】
１  ゲーム機
１ａ  コイン投入口
１ｂ  コントロール装置
１ｃ  コインホッパー
１ｄ  コイン量センサー
１ｅ  シュート
１ｆ  コイン受皿
１ｇ  コイン排送路
２  コイン貸し機
２ａ  貨幣投入口
２ｂ  コントロール装置
２ｃ  コインホッパー
２ｄ  コイン量センサー
２ｅ  シュート
２ｆ  コイン払出口
３  コイン自動補給装置
３ａ  コイン補給ライン
３ｂ  コイン回収ライン
３ｃ  コイン洗浄研磨部
３ｄ  コイン重なり防止部
３ｅ  ゲート
３ｆ  コイン補給制御部
３ｇ  ＣＰＵ
３ｈ  ＲＡＭ
３ｉ  ＲＯＭ
３ｊ  インターフェイス
３ｋ  信号線
３ｍ  ブラシロール
４  コイン補給装置
４ａ  ゲート
４ｂ  支持棒
４ｃ  ゲート開閉機構
４ｄ  切欠き
４ｅ  樋
４ｆ  仕切板
４ｇ  コイン通路
４ｈ  コインセンサー
４ｉ  送信器
４ｊ  コイン供給路
４ｋ  ゲート
５  ホールコンピュータ
５ａ  接続部
５ｂ  信号線
Ｃ  コイン
【図１】
2004236783.tif 000003
【図２】
2004236783.tif 000004
【図３】
2004236783.tif 000005
【図４】
2004236783.tif 000006
【図５】
2004236783.tif 000007
【図６】
2004236783.tif 000008
【図７】
2004236783.tif 000009
【図８】
2004236783.tif 000010
【図９】
2004236783.tif 000011
【図１０】
2004236783.tif 000012
【図１１】
2004236783.tif 000013
【図１２】
2004236783.tif 000014
【図１３】
2004236783.tif 000015
【図１４】
2004236783.tif 000016